(57)【特許請求の範囲】
【請求項１】
ベースと、前記ベースの前方に配置されるドレンパンと、前記ドレンパンの下方に配置される上下風向板と、前記ベースの前方に配置される前面パネルと、前記前面パネルの前方に配置される吸込グリルとを備えた本体と、室内機の運転状態やリモコンの応答を知らせるためのスピーカとを設けた空気調和機であって、
前記ベースは、左右方向に延びる前記ドレンパンと、左右方向に延びる前記上下風向板との間に、前面側が前面パネルに向けて開口し背面側に底がある左右方向に延びる溝を備え、
前記スピーカは、前記溝の内部に配置され、
前記吸込グリルは、前記吸込グリルの裏面から前記前面パネルに向けて突出した係止爪を備え、
前記前面パネルは、前記前面パネルの前面側であって前記吸込グリルに向けて開口し背面側に底部がある前記係止爪が挿入される穴と、前記穴に前記係止爪を係止する係止部とを備え、
前記穴は、前記溝の位置に対応して、前記前面パネルの左右方向に間隔をあけて複数配置され、
前記係止爪は、前記穴の位置に対応して、前記穴と同数配置され、
前記前面パネルに備えられた複数の穴のうちの１つの穴は、前記スピーカの音声を拡声するための拡声部と、前記底部に前記スピーカの音声を放出するための開放口とを備えたことを特徴とする空気調和機。
【請求項２】
前記拡声部が備えられた穴は、前記係止爪が挿入される空間の一部が前記拡声部のための空間の一部を兼ねていることを特徴とする請求項１記載の空気調和機。
【発明の詳細な説明】
【技術分野】
【０００１】
本発明は、空気調和機の室内機の本体に設けられるスピーカに関する。
【背景技術】
【０００２】
従来、空気調和機は、ベースと、ベースの前方に配置される前面パネルと、前面パネルの前方に配置される吸込グリルとから本体が構成され、本体内の点検や本体内に配置されたフィルタの清掃などを行えるように、吸込グリルが前面パネルに着脱可能になっている。この種の空気調和機の一例として、吸込グリルの裏面から前面パネルに向けて突出した係止爪と、前面パネルの前面側であって吸込グリルに向けて開口する係止爪が挿入される穴とを、吸込グリルと前面パネルの左右両側に設けた空気調和機がある（例えば、特許文献１参照）。この空気調和機では、係止爪が穴に備えた係止部に係止されることで吸込グリルを前面パネルに取付けることができ、係止爪を係止部から外すことで吸込グリルを前面パネルから取外すことができるようになっている。しかしながら、この空気調和機は、係止爪と穴とを吸込グリルと前面パネルの左右両側のみに設けた構造になっているので、空気調和機の経年変化や運転時に吹出される空気の熱などが原因で、吸込グリルが前面パネルに対して撓んだり膨らんだりすることがあった。例えば、吸込グリルが、吹出口から吹出される空気の熱で膨らむと、前面パネルと吸込グリルとの間に隙間が生じ、その隙間が空気調和機を下から見上げたときに見えるため、外観を損なってしまっていた。
【０００３】
そこで、吸込グリルを前面パネルから取外すことができるとともに、吸込グリルが前面パネルに対して撓んだり膨らんだりしないようにした空気調和機が知られている。この種の空気調和機の一例として、吸込グリルの裏面から前面パネルに向けて突出した係止爪と、前面パネルの前面側であって吸込グリルに向けて開口する係止爪が挿入される穴とを、吸込グリルと前面パネルの左右両側に設けるとともに左右両側の間にも設けた空気調和機がある。この空気調和機では、ベースには、左右方向に延びるドレンパンと上下風向板との間に溝を備え、前面パネルには、その溝の位置に対応して、左右方向に間隔をあけて穴が複数カ所に配置されている。また、吸込グリルには、前面パネルの穴の位置に対応して、穴と同数の係止爪が複数カ所に配置されている。これにより、吸込グリルが前面パネルに着脱可能であって、吸込グリルが前面パネルに取付けられた状態では、吸込グリルが前面パネルに対して撓んだり膨らんだりしようとしても、係止爪と穴に備えた係止部との噛合いにより、前面パネルと吸込グリルとの間に隙間が生じないようになっている。
【０００４】
ところで、空気調和機には、室内機の運転状態やリモコンの応答をユーザに知らせるために、本体にスピーカが内蔵されている。この種の空気調和機の一例として、本体に備えられたベースパネルに取付けた表示部と、表示部の前面側に開口する穴と、音声出力面を穴の底部に配置したスピーカと、穴の開口を覆ってスピーカが外部から見えないようにベースパネルに取付けた上面パネルとを設けた空気調和機がある（例えば、特許文献２参照）。この空気調和機では、穴は、スピーカの音声を拡声するための拡声部と、底部にスピーカの音声を放出するための開放口とを備えている。穴は、穴の開口が上面パネルで覆われたとき、拡声部で拡声される音声が上面パネルで反響したりこもったりしないように、所定の大きさの空間になっている。このように、本体にスピーカを内蔵する空気調和機には、スピーカの音声出力面の前方に、所定の大きさの穴が必要であるが、表示部の前面側に開口する専用の穴が必要になるという問題点があった。
【先行技術文献】
【特許文献】
【０００５】
【特許文献１】特開平１１−１７３５９４号公報
【特許文献２】特開２００６−７１１６５号公報
【発明の概要】
【発明が解決しようとする課題】
【０００６】
本発明は上記問題点に鑑み、吸込グリルが前面パネルに対して撓んだり膨らんだりするのを防ぎつつ、スピーカの音声出力面から出力される音声を拡声するための専用の穴を設ける必要がない空気調和機を提供することを目的とする。
【課題を解決するための手段】
【０００７】
上記課題を解決するため、本発明の空気調和機は、ベースと、ベースの前方に配置されるドレンパンと、ドレンパンの下方に配置される上下風向板と、ベースの前方に配置される前面パネルと、前面パネルの前方に配置される吸込グリルとを備えた本体と、室内機の運転状態やリモコンの応答を知らせるためのスピーカとが設けられている。ベースは、左右方向に延びるドレンパンと、左右方向に延びる上下風向板との間に、前面側が前面パネルに向けて開口し背面側に底がある左右方向に延びる溝を備え、スピーカは、溝の内部に配置されている。吸込グリルは、吸込グリルの裏面から前面パネルに向けて突出した係止爪を備えている。前面パネルは、前面パネルの前面側であって吸込グリルに向けて開口し背面側に底部がある係止爪が挿入される穴と、穴に係止爪を係止する係止部とを備えている。穴は、溝の位置に対応して、前面パネルの左右方向に間隔をあけて複数配置されている。係止爪は、穴の位置に対応して、穴と同数配置されている。前面パネルに備えられた複数の穴のうちの１つの穴は、スピーカの音声を拡声するための拡声部と、底部にスピーカの音声を放出するための開放口とを備えている。
【０００８】
また、拡声部が備えられた穴は、係止爪が挿入される空間の一部が拡声部のための空間の一部を兼ねている。
【発明の効果】
【０００９】
本発明の空気調和機によれば、前面パネルに備えられた複数の穴のうちの１つの穴は、スピーカの音声を拡声するための拡声部と、底部にスピーカの音声を放出するための開放口とを備えているため、吸込グリルが前面パネルに対して撓んだり膨らんだりするのを、係止爪と係止部との噛合いによって防ぐことができる。さらに、係止爪が挿入される穴と、スピーカの音声を拡声するための穴を共用できるので、拡声するための専用の穴を不要にすることができる。
【００１０】
また、本発明の空気調和機によれば、拡声部が備えられた穴は、係止爪が挿入される空間の一部が拡声部のための空間の一部を兼ねているため、係止爪が挿入される穴と、スピーカの音声を拡声するための穴とを個別に設けた場合と比べ、穴の大きさを小さくすることができる。
【図面の簡単な説明】
【００１１】
【図１】本発明による空気調和機を示す外観斜視図である。
【図２】空気調和機の吸込グリルを取り外した状態を示す外観斜視図である。
【図３】空気調和機の吸込グリルを取り外した状態を示す説明図で、（ａ）は正面図、（ｂ）は（ａ）のＡ矢視に示す円内を拡大した要部拡大正面図である。
【図４】空気調和機の吸込グリルと前面パネルとを取り外した状態を示す説明図で、（ａ）は正面図、（ｂ）は（ａ）のＢ矢視に示す円内を拡大した要部拡大正面図である。
【図５】空気調和機の吸込グリルに設けられた係止爪が前面パネルに設けられた穴に挿入されて係止された状態を示す説明図で、（ａ）は穴の底部に対向するスピーカが存在しない部分を示す要部断面図、（ｂ）は穴の底部に対向するスピーカが存在する部分を示す要部断面図である。
【図６】空気調和機の前面パネルに設けられた穴の底部に対向するスピーカが存在しない部分と、スピーカが存在する部分とを重ね合わせた状態を示す要部断面図である。
【発明を実施するための形態】
【００１２】
以下、本発明の実施形態を添付図面に基づき詳細に説明する。本発明による空気調和機は、図１乃至図６に示すように、壁掛型の室内機１であって、ベース１１、ドレンパン１２、上下風向板１３、前面パネル１４および吸込グリル１５などを備えた本体１０と、室内機１の運転状態やリモコンの応答をユーザに知らせるためのスピーカ２０とが設けられている。ベース１１は、上下方向よりも左右方向に長い形状になっている。ドレンパン１２は、ベース１１の前方に配置され、上下風向板１３は、ドレンパン１２の下方に配置されている。本体１０の左右方向に延びるドレンパン１２と、本体１０の左右方向に延びる上下風向板１３との間には、ベース１１に備えられた溝１１０が配置されている。ベース１１に備えられた溝１１０は、前面側が前面パネル１４に向けて開口し、背面側に底を備えており、本体の１０の左右方向に延びている。この溝１１０の内部には、スピーカ２０が配置されている。本体１０内には、運転時に吸込んだ空気に含まれる塵や埃を捕捉するためのフィルタ（図示省略）が配置されている。前面パネル１４は、ベース１１に備えられた溝１１０の前方に配置されている。吸込グリル１５は、前面パネル１４の前方であってフィルタが隠れるように配置されている。前面パネル１４には、本体１０内の点検や本体１０内に配置されたフィルタ清掃などを行えるように、吸込グリル１５が着脱可能になっている。
【００１３】
前面パネル１４に吸込グリル１５を着脱可能にするため、前面パネル１４には、図２乃至図５に示すように、溝１１０の位置に対応して、左右方向に間隔をあけて４カ所に穴１４０、１４１、１４２、１４３が配置されている。これらの穴１４０、１４１、１４２、１４３は、図５に示すように、前面パネル１４の前面側であって吸込グリル１５に向けて開口し、吸込グリル１５に配置されている後述の係止爪が挿入される穴になっている。そして、これらの穴１４０、１４１、１４２、１４３は、背面側に底部１４０ｂ、１４１ｂ、１４２ｂ、１４３ｂを備えている。また、これらの穴１４０、１４１、１４２、１４３には、後述の係止爪を係止する係止部１４０ａ、１４１ａ、１４２ａ、１４３ａがそれぞれ備えられている。これらの係止部１４０ａ、１４１ａ、１４２ａ、１４３ａは、それぞれ弾性を有し、根元側が穴１４０、１４１、１４２、１４３の底部１４０ｂ、１４１ｂ、１４２ｂ、１４３ｂに一体的に形成され、先端側が穴１４０、１４１、１４２、１４３の開口に露出するように上方に向けてフック状に形成されている。
【００１４】
一方、吸込グリル１５には、図５に示すように、前面パネル１４に配置されている穴１４０〜１４３の位置に対応して、左右方向に間隔をあけて穴１４０、１４１、１４２、１４３と同数の４カ所に係止爪１５０、１５０、・・・が配置されている。これらの係止爪１５０、１５０、・・・は、吸込グリル１５の裏面から前面パネル１４に向けて突出した係止爪になっている。これらの係止爪１５０、１５０、・・・は、先端側が下方に向けてフック状に形成されている。
【００１５】
このように、前面パネル１４と吸込グリル１５が構成されているので、前面パネル１４に吸込グリル１５を取付ける場合には、係止爪１５０、１５０、・・・を穴１４０、１４１、１４２、１４３に挿入し、係止爪１５０、１５０、・・・を係止部１４０ａ、１４１ａ、１４２ａ、１４３ａに係止させる。このとき、係止爪１５０、１５０、・・・の先端が係止部１４０ａ、１４１ａ、１４２ａ、１４３ａの先端に当たり、係止部１４０ａ、１４１ａ、１４２ａ、１４３ａが弾性によって下方に変形する。その後、係止爪１５０、１５０、・・・を係止部１４０ａ、１４１ａ、１４２ａ、１４３ａに係止させた時点で、係止部１４０ａ、１４１ａ、１４２ａ、１４３ａが元の位置に戻るようになっている。
【００１６】
また、前面パネル１４から吸込グリル１５を取外す場合には、係止爪１５０、１５０、・・・を係止部１４０ａ、１４１ａ、１４２ａ、１４３ａから外す。このとき、係止部１４０ａ、１４１ａ、１４２ａ、１４３ａが弾性によって下方に変形し、係止爪１５０、１５０、・・・の先端が係止部１４０ａ、１４１ａ、１４２ａ、１４３ａの先端から離脱する。その後、係止部１４０ａ、１４１ａ、１４２ａ、１４３ａが元の位置に戻るようになっている。
【００１７】
なお、前面パネル１４および吸込グリル１５には、左右方向に間隔をあけて４カ所に、係止部１４０ａ、１４１ａ、１４２ａ、１４３ａが備えられた穴１４０、１４１、１４２、１４３および係止爪１５０、１５０、・・・を配置しているため、前面パネル１４に吸込グリル１５を取付けた状態では、室内機１の経年変化や運転時に吹出される空気の熱によって、吸込グリル１５が前面パネル１４に対して撓んだり膨らんだりしようとしても、係止爪１５０、１５０、・・・と係止部１４０ａ、１４１ａ、１４２ａ、１４３ａとの噛合いにより、前面パネル１４と吸込グリル１５との間に隙間が生じないようになっている。
【００１８】
次に、本発明の特徴部分である前面パネル１４に配置されている１つの穴１４２と、穴１４２の後方にあたるベース１１の溝１１０の内部に配置されたスピーカ２０について、図３（ｂ）、図４（ｂ）、図５（ｂ）および図６を用いて具体的に説明する。図３（ｂ）、図４（ｂ）、図５（ｂ）および図６に示すように、前面パネル１４に備えられた１つの穴１４２は、スピーカ２０の音声を拡声するための拡声部１４２ｃと、底部１４２ｂにスピーカの音声を放出するための開放口１４２ｄとを備えている。拡声部１４２ｃは、底部１４２ｂと、穴１４２の３つの側面Ｗ１、Ｗ２、Ｗ３と、前面側から見たときの係止部１４２ａよりも上方の底部１４２ｂから一体的に前面側に向かって形成される壁面Ｗ４とからなる四角錐形状の空間を有している。壁面Ｗ４の高さは、係止爪１５０を係止部１４２ａに係止させた状態で係止爪１５０の先端に当たらない長さになっている。開放口１４２ｄは、拡声部１４２ｃの底部１４２ｂに左右方向に長い２つのスリットを有している。
【００１９】
スピーカ２０は、図３（ｂ）、図４（ｂ）、図５（ｂ）および図６に示すように、前面側に音声を出力するための音声出力面２００を備えている。この音声出力面２００は複数の縦桟からなる枠が一体的に取付けられており、図３（ｂ）に示すように、前面側から見たときに開放口１４２ｄから見えるように開放口１４２ｄの後方に配置されている。
【００２０】
このように、前面パネル１４に備えられた１つの穴１４２は、拡声部１４２ｃと開放口１４２ｄとを備えており、前面側から見たときに開放口１４２ｄから見えるようにスピーカ２０が配置されているので、スピーカ２０の音声出力面２００から出力された音声は、開放口１４２ｄを通って拡声部１４２ｃに伝わり、拡声されるようになっている。また、穴１４２は、前面パネル１４に吸込グリル１５を取付けた状態のとき、拡声部１４２ｃにより拡声された音声が吸込グリル１５で反響したりこもったりしないように、所定の大きさの空間になっている。
【００２１】
次に、前面パネル１４に備えられた１つの穴１４２の空間と大きさについて、図６を用いて具体的に説明する。なお、図６において、右斜め下向きのハッチングで示した部分は、前面パネル１４と前面パネル１４に備えられた穴１４２を示し、太い点線で示した部分は、例えば、前面パネル１４と前面パネル１４に備えられた穴１４０を示し、細い点線で示した部分は、拡声部１４２ｃが有する壁面Ｗ４の高さを前面側に延長した仮想の壁面Ｗ４０を示す。この壁面Ｗ４０は、スピーカ２０の音声を拡声するための穴を単独で設けた場合を想定している。
【００２２】
前面パネル１４に備えられた穴１４２は、図６に示すように、係止爪１５０が挿入される空間の一部が拡声部１４２ｃのための空間の一部を兼ねる空間Ｓを有している。空間Ｓは、穴１４２に係止爪１５０を挿入するときは、係止爪１５０を挿入するための空間になっているが、係止爪１５０が穴１４２の係止部１４２ａに係止されたときは、穴１４２の側面Ｗ１、Ｗ２、Ｗ３と壁面Ｗ４０からなる音声を拡声するための空間になっている。このように、前面パネル１４に備えられた穴１４２は、係止爪１５０が挿入される穴と、スピーカ２０の音声を拡声するための穴とを前面パネル１４に別々に設けた場合の穴の合計の大きさに比べて、穴１４２の大きさを小さくすることができる。
【００２３】
また、図２に示すように、前面パネル１４に備えられた穴１４０、１４１、１４２、１４３は、左右方向に間隔をあけて配置されているので、前面パネル１４を全体的に見たとき、穴１４２をその他の穴１４０、１４１、１４３と比べて目立たなくすることができる。さらに、穴１４２は、係止爪１５０が挿入される空間の一部が拡声部１４２ｃのための空間の一部を兼ねる空間Ｓがあるので、その他の穴１４０、１４１、１４３と比べて大きさがあまり変わらず同じように見えるので、目立たなくすることができる。
【００２４】
以上説明してきた本発明の空気調和機によれば、吸込グリル１５の係止爪１５０が挿入される前面パネル１４に備えられた複数の穴１４０、１４１、１４２、１４３のうちの１つの穴１４２は、スピーカ２０の音声を拡声するための拡声部１４２ｃと、底部１４２ｂにスピーカ２０の音声を放出するための開放口１４２ｄとを備えているため、吸込グリル１５が前面パネル１４に対して撓んだり膨らんだりするのを、係止爪１５０、１５０、・・・と係止部１４０ａ、１４１ａ、１４２ａ、１４３ａとの噛合いによって防ぐことができる。さらに、係止爪１５０が挿入される穴１４２と、スピーカ２０の音声を拡声するための穴を共用できるので、拡声するための専用の穴を不要にすることができる。また、スピーカ２０の音声出力面２００から出力される音声を拡声するための専用の穴を不要にすることによって、前面パネル１４に配置される穴の数が少なくて済むので、ベース１１に備えられた溝１１０の内部に配置されるその他の電気部品の配置を有利にすることができる。
【００２５】
なお、本実施形態では、前面パネル１４に、溝１１０の位置に対応して、左右方向に間隔をあけて４カ所に穴１４０、１４１、１４２、１４３を配置し、吸込グリル１５に、穴１４０、１４１、１４２、１４３の位置に対応して、穴１４０、１４１、１４２、１４３と同数の４カ所に係止爪１５０、１５０、・・・を配置するようにしたが、本発明はこれに限らず、前面パネル１４と吸込グリル１５に、左右方向に間隔をあけて３カ所や５カ所以上の複数カ所に穴と係止爪とをそれぞれ配置するようにしてもよい。
【００２６】
また、本実施形態では、穴１４０、１４１、１４２、１４３に備えられた係止部１４０ａ、１４１ａ、１４２ａ、１４３ａは、根元側を穴１４０、１４１、１４２、１４３の底部１４０ｂ、１４１ｂ、１４２ｂ、１４３ｂに一体的に形成し、先端側を穴１４０、１４１、１４２、１４３の開口に露出するように上方に向けてフック状に形成するようにしたが、本発明はこれに限らず、穴に備えられた係止部は、穴の底部を開放し、根元側を穴の開口に一体的に形成し、先端側を穴の底部の開放端に形成するようにしてもよい。
【符号の説明】
【００２７】
１  室内機
１０  本体
１１  ベース
１１０  溝
１２  ドレンパン
１３  上下風向板
１４  前面パネル
１４０、１４１、１４２、１４３  穴
１４０ａ、１４１ａ、１４２ａ、１４３ａ  係止部
１４０ｂ、１４１ｂ、１４２ｂ、１４３ｂ  底部
１４２ｃ  拡声部
１４２ｄ  開放口
１５  吸込グリル
１５０  係止爪
２０  スピーカ
２００  音声出力面
Ｗ１、Ｗ２、Ｗ３  側面
Ｗ４、Ｗ４０  壁面
Ｓ  空間
【図１】
0005867156.tif 000002
【図２】
0005867156.tif 000003
【図３】
0005867156.tif 000004
【図４】
0005867156.tif 000005
【図５】
0005867156.tif 000006
【図６】
0005867156.tif 000007